Podtech/llm-jp-corpus-v4-ja_patent huggingface dataset:
【手続補正書】
【提出日】平成17年1月28日(2005.1.28)
【手続補正１】
【補正対象書類名】明細書
【補正対象項目名】００１６
【補正方法】変更
【補正の内容】
【００１６】
具体的には請求項１の発明の流動性食品の加熱撹拌装置は、加熱すべき流動性食品を収容するための容器であってかつ少なくとも内面が電気絶縁性を有するように作られた円筒状の容器と；
前記容器内に、互いに間隔を置いて挿入された２本以上の撹拌電極と；
前記撹拌電極を容器内において容器に対し相対的に旋回させるための旋回手段と；
前記撹拌電極の相互の間に電圧を加えるための電源装置；
とを有してなり、前記容器内に流動性食品を収容した状態で前記撹拌電極の相互の間に電圧を加えながら撹拌電極を容器に対し相対的に旋回させることによって、流動性食品を通電加熱しながら撹拌するようにしたことを特徴とするものである。
【手続補正２】
【補正対象書類名】明細書
【補正対象項目名】００３３
【補正方法】変更
【補正の内容】
【００３３】
以上のような図１、図２に示される加熱撹拌装置において、容器１１内にジャムや各種ソースなどの加熱すべき流動性食品材料１３を注入し、その流動性食品材料１３中に撹拌電極１５Ａ，１５Ｂが浸漬された状態で、電源装置２５により撹拌電極１５Ａ，１５Ｂ間に電圧を加えれば、その撹拌電極１５Ａ，１５Ｂ間において流動性食品材料１３に電流が流れ、その流動性食品材料１３の有する電気抵抗によって発熱し、温度上昇する。すなわちいわゆる通電加熱（ジュール加熱）がなされる。またこのように通電加熱すると同時に、回転駆動源２３を作動させて、撹拌電極１５Ａ，１５Ｂを容器１１内の流動性食品材料１３に浸漬させた状態で容器１１の中心軸線位置Ｏを中心として連続的に旋回させることによって、容器１１内の流動性食品材料１３に旋回流を生じさせ、その流動性食品材料１３を撹拌することができる。このようにして、流動性食品材料１３を撹拌しながら通電加熱を行なうことにより、容器１１内の流動性食品材料１３を均一に温度上昇させることができる。また撹拌電極１５Ａ，１５Ｂは、その一方の縁部１６が容器１１の内周面に接しつつ旋回するため、容器１１の内周面に付着した食品材料を効果的に掻き落とすことができる。
【手続補正３】
【補正対象書類名】明細書
【補正対象項目名】００３５
【補正方法】変更
【補正の内容】
【００３５】
また図１、図２の例においては、金属等の導電性材料からなる撹拌電極１５Ａ，１５Ｂを、その幅方向の一方の縁部１６が容器１１の内周面に接するように配設して、容器１１の内周面に付着した食品材料を掻き落とす機能を撹拌電極それ自体に持たせているが、場合によっては図４に示すように金属等の導電性材料からなる撹拌電極１５Ａ（１５Ｂ）の幅方向の一方の縁部１６に、ゴムあるいは合成樹脂等の絶縁性材料からなる掻き落し板２７をボルト２９等の適宜の固定手段によって取付けておき、この掻き落し板２７が容器１１の内周面に接するように構成しても良い。
【手続補正４】
【補正対象書類名】明細書
【補正対象項目名】００４１
【補正方法】変更
【補正の内容】
【００４１】
図８、図９において、撹拌電極１５Ａ〜１５Ｄは、金属などの導電性材料によって丸棒状に作られており、支持アーム１７Ａ〜１７Ｄおよび回転給電部１９を介して回転軸２１に連結されるとともに、同じく回転給電部１９を介して電源装置２５に電気的に接続されている。ここで、撹拌電極１５Ａ〜１５Ｄの配置については、前述の各例とは異なり、容器１１の中心軸線Ｏの位置（旋回中心位置）から各撹拌電極１５Ａ〜１５Ｄまでの距離Ｌ1 〜Ｌ4 がそれぞ異なるように位置決めされている。そしてまた各撹拌電極１５Ａ〜１５Ｄのうち、最外周側の撹拌電極１５Ｄが容器１１の内周面に接するように定められている。なお各撹拌電極１５Ａ〜１５Ｄに給電する態様としては、図６、図７の例と同様とすれば良い。
【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
入賞領域を有し、同入賞領域への入賞を容易にする第1の状態と、同入賞を困難にする第２の状態とに変更可能な変動入賞装置と、
遊技者による遊技状況の変化に応じ、前記変動入賞装置を第２の状態から第１の状態に切替える切替え手段と、
前記変動入賞装置の入賞領域内の状況を検出する検出手段と、
複数の識別情報を表示する表示装置と、
前記検出手段の検出結果に応じ、前記識別情報を前記表示装置で変動表示させる表示制御手段と、
前記表示制御手段による変動が特定の識別情報で停止されることに基づいて、遊技者に有利な特別遊技状態を発生させる特別遊技状態発生手段とを備える遊技機において、
前記切替え手段による第２の状態から第１の状態への切替え回数を、所定条件に応じて変更する変更手段を備えることを特徴とする遊技機。
【請求項２】
前記表示装置での識別情報の変動に先立ち、複数の識別情報を変動表示及び停止する副表示装置をさらに備え、
前記変更手段は、前記副表示装置での識別情報の変動停止態様を前記所定条件として前記切替え回数を変更することを特徴とする請求項１に記載の遊技機。
【請求項３】
前記切替え手段は、前記副表示装置の変動停止態様により行われる最初の抽選に応じて、前記変動入賞装置を第２の状態から第１の状態に切替えるものであり、
前記特別遊技状態発生手段は、前記表示装置の変動停止態様により行われる２度目の抽選に応じて、遊技者に有利な特別遊技状態を発生させるものであることを特徴とする請求項２に記載の遊技機。
【請求項４】
切替え回数が多い態様での前記変動入賞装置の前記第１の状態は、切替え回数が少ない態様での前記変動入賞装置の前記第１の状態よりも短い時間に設定されていることを特徴とする請求項１から請求項３までのいずれか１つに記載の遊技機。
【請求項５】
切替え回数が多い態様での前記変動入賞装置の前記第１の状態と、切替え回数が少ない態様での前記変動入賞装置の前記第１の状態とは、合計の時間が同程度となるような値に設定されていることを特徴とする請求項４に記載の遊技機。
【請求項６】
切替え回数が多い態様での前記変動入賞装置の前記第１の状態は、切替え回数が少ない態様での前記変動入賞装置の前記第１の状態と同じ時間に設定されていることを特徴とする請求項１から請求項３までのいずれか１つに記載の遊技機。
【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
商用の単相交流電源電圧を単相誘導電動機に給電してトルクを発生し、このトルクを伝達する機構を介して被検者の特定部位を圧迫する圧迫手段を備えたＸ線透視撮影装置において、
上記商用の単相交流電源電圧を検出する電源電圧検出手段と、
この電源電圧検出手段の出力と前記単相交流電源電圧が変化しない時の基準値とから前記単相交流電源電圧の変動量を求める電源電圧変動量検出手段と、
上記交流電源と上記単相誘導電動機との間に二方向３端子サイリスタ又は逆並列接続の逆阻止３端子サイリスタを含む交流電力制御素子を挿入し上記交流電源電圧が変動しても上記単相誘導電動機に給電される電圧の実効値を所定の値に一定になるように上記電源電圧変動量検出手段の出力に応じて上記交流電力制御素子の導通位相角を制御する制御手段と、
を備えたことを特徴とするＸ線透視撮影装置。
【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
連続または不連続の微細凸部および／または微細凹部を一部または全部に有する透明シートの該凸部および／または凹部に、透明シートを重ね合わせた吸い上げ部材を備え、該吸い上げ部材が容器中に挿入されていることを特徴とする液体揮散装置。
【請求項２】
吸い上げ部材が、容器開口部に設けたパットに連結していることを特徴とする請求項１記載の液体揮散装置。
【請求項３】
透明シートの微細凸部および／または微細凹部に重ね合わせる透明シートが、重ね合わせる部分に連続または不連続の凸部および／または凹部を有することを特徴とする請求項１記載の液体揮散装置。
【請求項４】
吸い上げ部材が、容器の内部壁面に貼着されていることを特徴とする請求項１記載の液体揮散装置。
【請求項５】
層間に微小間隙を有する少なくとも２層の透明平滑シートを積層した吸い上げ部材を備え、該吸い上げ部材が容器中に挿入されていることを特徴とする液体揮散装置。
【請求項６】
吸い上げ部材が、容器開口部に設けたパットに連結していることを特徴とする請求項５記載の液体揮散装置。
【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
生体内分解吸収性高分子からなり、ハイドロキシアパタイト及びアルカリ性無機化合物を含有することを特徴とする生体内分解吸収性の骨固定材。
【請求項２】
初期圧縮曲げ強度が、２５０〜３７０ＭＰａである請求項１に記載の生体内分解吸収性の骨固定材。
【請求項３】
生体内分解吸収性高分子の分子鎖が一軸方向又は多軸方向に配向している請求項１又は２に記載の生体内分解吸収性の骨固定材。
【請求項４】
生体内分解吸収性高分子が、ポリ乳酸又はラクチド／グリコリド共重合体である請求項１〜３のいずれかに記載の生体内分解吸収性の骨固定材。
【請求項５】
ポリ乳酸が、Ｌ−乳酸の重合体、又はＬ−乳酸とＤ、Ｌ−乳酸との共重合体である請求項４に記載の生体内分解吸収性の骨固定材。
【請求項６】
生体内分解吸収性高分子と、ハイドロキシアパタイト及びアルカリ性無機化合物との組成比（重量）が、９９：１〜６０：４０である請求項１〜５のいずれかに記載の生体内分解吸収性の骨固定材。
【請求項７】
ハイドロキシアパタイトと、アルカリ性無機化合物との組成比（重量）が、９９：１〜８０：２０である請求項１〜６のいずれかに記載の生体内分解吸収性の骨固定材。
【請求項８】
アルカリ性無機化合物が、水酸化カルシウム、水酸化カリウム、水酸化マグネシウム、塩化カルシウム、塩化カリウム、塩化マグネシウム又は塩化亜鉛である請求項１〜７のいずれかに記載の生体内分解吸収性の骨固定材。
【請求項９】
ハイドロキシアパタイト及びアルカリ性無機化合物を生体内分解吸収性高分子と混合した後、これを成形し、さらに一軸延伸、押出し延伸、圧延、圧縮、ラム押出し又は静水圧押出しをすることを特徴とする生体内分解吸収性の骨固定材の製造方法。
【請求項１０】
アルカリ性無機化合物を含む溶液にハイドロキシアパタイトを浸漬し、乾燥させた後、生体内分解吸収性高分子と混合する請求項９に記載の生体内分解吸収性の骨固定材の製造方法。
【手続補正２】
【補正対象書類名】明細書
【補正対象項目名】００２５
【補正方法】変更
【補正の内容】
【００２５】
【表１】
1999206871.tif 000001
【手続補正３】
【補正対象書類名】明細書
【補正対象項目名】００３０
【補正方法】変更
【補正の内容】
【００３０】
【表３】
1999206871.tif 000002
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
超硬合金、サーメット、又はセラミックの基体を備え、該基体の表面の少なくとも機能的部分に、硬質の耐摩耗性被膜が被覆されて成り、且つ前記被膜は、少なくとも一つの層はアルミナから成る一つ以上の耐熱層の構造を有する切削工具であって、
前記アルミナ層は、厚さが０．５〜２５μｍであり、［３００］方向に組織された本質的に単一相のαアルミナから成り、組織係数が１．５より大きく、且つ
前記αアルミナ層が、ｗｔ％で０．０１〜１０の範囲で組織改良剤の残留物を含み、
該組織係数は次の式：
TC(hkl)=[I(hkl)/I0(hkl)]{1/nΣ[I(hkl)/I0(hkl)}-1
ここで
I(hkl)＝(hkl)反射の測定強度
I0(hkl)＝ASTM標準粉末パタン回折データ、カードナンバー43-1484標準強度
n＝計算で用いられた反射の数、用いられる(hkl)反射は次のものである：(012)、(104)、(110)、(113)、(024)、(116)及び(300)、
によって定義されることを特徴とする切削工具。
【請求項２】
厚さ０．１〜１０μｍの金属チタンの窒化物、炭化物、炭窒化物、酸化炭化物及び酸化炭窒化物ＴｉＣｘＮｙＯｚの少なくとも１種から成る少なくとも一つの層を有し、前記層がαアルミナ層と接触していることを特徴とする請求項１に記載の切削工具。
【請求項３】
外側の層が、αアルミナであることを特徴とする請求項２に記載の切削工具。
【請求項４】
外側の層が、ＴｉＮであることを特徴とする請求項１〜３のいずれか１項に記載の切削工具。
【請求項５】
被覆された切削工具の表面が、ブラッシング作業によって滑らかにされていることを特徴とする請求項１〜４のいずれか１項に記載の切削工具。
【請求項６】
被覆切削工具を製造する方法であって、
請求項１に記載する［３００］方向に組織されたαアルミナから成る少なくとも一つの耐熱層が化学的蒸気堆積法によって蒸着されことにより、被覆される工具表面が加水分解剤及び酸化剤の少なくとも１種と、アルミニウム・ハロゲン化物との一種以上を含む水素キャリア気体と接触する被覆切削工具を製造する方法において、
αアルミナの核生成前の化学的蒸気堆積法反応器雰囲気の酸化ポテンシャルが、所定濃度の水蒸気（Ｈ２Ｏ）又は５ｐｐｍより低い他の酸化分子種によって低いレベルに抑えられ、ＨＣｌとＣＯ２がＨ２及びＡｒのいずれか１種の雰囲気中で反応器に最初に入り、続いてＡｌＣｌ３が入るという反応気体の順序づけによってαアルミナの核生成が開始され、温度は核生成期の間９５０〜１０５０℃に保たれ、αＡｌ２Ｏ３層の成長期の間硫黄触媒と組織改良剤が添加され、該触媒はＨ２Ｓであり、該組織改良剤はＺｒＣｌ４であることを特徴とする被覆切削工具を製造する方法。
【請求項７】
反応気体混合物への組織改良剤、ＺｒＣｌ４、の添加は、全反応気体混合物に対し体積％で０．０５〜１０の範囲にあることを特徴とする請求項６に記載の方法。
【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
測定者の腹部に振動を与える加振部と、加振部から一定距離はなれ測定者の前記振動を受信する受信部と、受信部の受信信号から振動の伝播速度を演算する演算部と、演算結果から皮下脂肪とそれ以外の組織とを判断する判断部とを備えた測定装置。
【請求項２】
前記加振部は、一定周波数の振動を発生させる請求項１記載の測定装置。
【請求項３】
前記加振部は、複数の周波数の振動を同時に発生させる請求項１記載の測定装置。
【請求項４】
前記加振部は、複数の周波数の振動を切替えて発生させる請求項１記載の測定装置。
【請求項５】
前記判断部はアスリートとアスリート以外とにより判断を切替える請求項１乃至請求項４項記載の測定装置。
【請求項６】
測定者の腹部に振動を与える加振部と、加振部から一定距離はなれ測定者の前記振動を受信する受信部と、受信部の信号から振動の伝播速度を演算する第１演算部と、演算結果から皮下脂肪とそれ以外の組織とを判断する判断部と、測定者の体脂肪量を測定する体脂肪測定部と、判断結果と体脂肪量測定結果から皮下脂肪面積を演算する第２演算部とを備えた測定装置。
【請求項７】
測定者の腹部に振動を与える加振部と、加振部から一定距離はなれ測定者の前記振動を受信する受信部と、受信部の信号から振動の伝播速度を演算する第１演算部と、演算結果から皮下脂肪とそれ以外の組織とを判断する判断部と、測定者の体脂肪量を測定する体脂肪測定部と、判断結果と体脂肪量測定結果から内臓脂肪面積を演算する第２演算部とを備えた測定装置。
【請求項８】
測定者の腹部に振動を与える加振部と、加振部から一定距離はなれ測定者の前記振動を受信する受信部と、受信部の信号から振動の伝播速度を演算する第１演算部と、演算結果から皮下脂肪とそれ以外の組織とを判断する判断部と、測定者の体脂肪率を測定する体脂肪測定部と、測定者の体重を測定する体重測定部と、判断結果と体脂肪率測定結果と体重とから皮下脂肪面積を演算する第２演算部とを備えた測定装置。
【請求項９】
測定者の腹部に振動を与える加振部と、加振部から一定距離はなれ測定者の前記振動を受信する受信部と、受信部の信号から振動の伝播速度を演算する第１演算部と、演算結果から皮下脂肪とそれ以外の組織とを判断する判断部と、測定者の体脂肪率を測定する体脂肪測定部と、測定者の体重を測定する体重測定部と、判断結果と体脂肪率測定結果と体重とから内臓脂肪面積を演算する第２演算部とを備えた測定装置。
【手続補正書】
【提出日】平成16年10月12日(2004.10.12)
【手続補正１】
【補正対象書類名】明細書
【補正対象項目名】発明の名称
【補正方法】変更
【補正の内容】
【発明の名称】垂直磁場磁気共鳴イメージング装置用シールド部屋
【手続補正２】
【補正対象書類名】明細書
【補正対象項目名】特許請求の範囲
【補正方法】変更
【補正の内容】
【特許請求の範囲】
【請求項１】
被検体の置かれる空間の上方及び／または下方に配置され垂直方向の磁場を発生する磁場発生源を備えた静磁場発生手段と、磁場強度勾配を発生する傾斜磁場発生手段と、高周波磁場発生手段と、被検体から発生する核磁気共鳴信号を検出する手段と、前記核磁気共鳴信号を処理し、その結果を表示する手段と、前記空間外へ漏洩する磁界を低減する漏洩磁界低減手段とを有する垂直磁場磁気共鳴イメージング装置を包囲して外部からの電界を遮蔽する電界遮蔽手段を備えた垂直磁場磁気共鳴イメージング装置用シールド部屋において、
前記シールド部屋は、その壁面の少なくとも一部に、前記漏洩磁界を実質的に低減することで磁界を遮蔽する磁界遮蔽手段を備えたことを特徴とする垂直磁場磁気共鳴イメージング装置用シールド部屋。
【請求項２】
前記漏洩磁界低減手段は、前記磁場発生源と磁気回路を構成する第１の強磁性体により構成したことを特徴とする請求項１記載の垂直磁場磁磁気共鳴イメージング装置用シールド部屋。
【請求項３】
前記磁場発生源は、超電導コイルであり、前記漏洩磁界低減手段は、前記超電導コイルが発生する磁束に対して極性が逆向きの磁束を発生する第１のキャンセルコイルにより構成されたことを特徴とする請求項１又は２記載の垂直磁場磁気共鳴イメージング装置用シールド部屋。
【請求項４】
前記磁界遮蔽手段は、第２の強磁性体により構成したことを特徴とする請求項１乃至３のいずれかに記載の垂直磁場磁気共鳴イメージング装置用シールド部屋。
【請求項５】
前記磁界遮蔽手段は、前記漏洩磁界の磁束に対して極性が逆向きの磁束を発生する第２のキャンセルコイルにより構成したことを特徴とする請求項１乃至４のいずれかに記載の垂直磁場磁気共鳴イメージング装置用シールド部屋。
【請求項６】
前記シールド部屋の壁面の少なくとも一部には、部屋の内外を双方向から透視できる領域が存在することを特徴とする請求項１乃至５のいずれかに記載の垂直磁場磁気共鳴イメージング装置用シールド部屋。
【手続補正３】
【補正対象書類名】明細書
【補正対象項目名】００１１
【補正方法】変更
【補正の内容】
【００１１】
【課題を解決するための手段】
上記目的を達成する本発明の垂直磁場MRI装置用シールド部屋は、被検体の置かれる空間の上方及び／または下方に配置され垂直方向の磁場を発生する磁場発生源を備えた静磁場発生手段と、磁場強度勾配を発生する傾斜磁場発生手段と、高周波磁場発生手段と、被検体から発生する核磁気共鳴信号を検出する手段と、前記核磁気共鳴信号を処理し、その結果を表示する手段と、前記空間外へ漏洩する磁界を低減する漏洩磁界低減手段とを有する垂直磁場磁気共鳴イメージング装置を包囲して外部からの電界を遮蔽する電界遮蔽手段を備えた垂直磁場磁気共鳴イメージング装置用シールド部屋において、前記シールド部屋は、その壁面の少なくとも一部に、前記漏洩磁界を実質的に低減することで磁界を遮蔽する磁界遮蔽手段を備えたものである。
【手続補正４】
【補正対象書類名】明細書
【補正対象項目名】００１４
【補正方法】変更
【補正の内容】
【００１４】
図1はMRI装置の全体構成図である。このMRI装置は被検体1が置かれる空間を挟むように配置された静磁場発生磁石2と、この静磁場発生磁石2の内側にそれぞれ配置された傾斜磁場コイル3と、さらにその内側に配置された高周波コイル5と、被検体1から発生するNMR信号を検出する検出コイル7とを備えている。
【手続補正５】
【補正対象書類名】明細書
【補正対象項目名】００３８
【補正方法】変更
【補正の内容】
【００３８】
【発明の効果】
本発明によれば、開放型で高磁場を発生する磁石を用いた垂直磁場MRI装置において漏洩磁場を低減する漏洩磁場低減手段を備え、この垂直磁場MRI装置を収容するシールド部屋において漏洩磁場遮蔽手段を備えたため、漏洩磁場による安全管理区域を磁石の設置室内に収めることができるので、安全管理上好適な装置を提供することができ、また効果的に漏洩磁場を低減できるため周辺にカラーCRT等の機器が設置できる。
【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
生体（１０）でトモグラフィー測定を実施するための測定装置（１６）と、生体（１０）の生理学的信号（２２）を検出するための信号検出装置（１２）と、生理学的信号（２２）の時間的経過をグラフ表示するための表示装置（２０）と、生理学的信号（２２）内の測定時間ウィンドー（２６，２８）の長さおよび相対的位置の設定をユーザーによって実施するための時間設定装置（１８）と、トモグラフィー測定が設定された測定時間ウィンドー（２６，２８）中にのみ行なわれるように測定装置（１６）を制御するための測定制御装置（１４）とを備えた、生体（１０）の生理学的に制御された測定を実施するための装置において、表示装置（２０）は、生理学的信号（２２）に対して相対的に測定時間ウィンドー（２６，２８）の時間的位置および大きさを認識可能であるように測定時間ウィンドー（２６，２８）を生理学的信号（２２）と時間的に関連させてグラフ表示するために設けられていることを特徴とする生体の生理学的に制御された測定を実施するための装置。
【請求項２】
測定時間ウィンドーを設定するために時間設定装置（１８）を用いて少なくとも二つの異なる相対時点を設定し、表示装置は二つの相対時点の間に存在する測定時間ウィンドー（２８）を生理学的信号（２２）と時間的に関連させてグラフ表示するために設けられていることを特徴とする請求項1記載の装置。
【請求項３】
表示装置（２０）は、相対時点と生理学的信号（２２）の基準時点（３８）との間に存在する時間ウィンドー（２６）を生理学的信号（２２）と時間的に関連させてグラフ表示するために設けられていることを特徴とする請求項１または２記載の装置。
【請求項４】
表示装置（２０）は、時間ウィンドー（２６，２８）を時間バーの形で表示するために設けられていることを特徴とする請求項２または３記載の装置。
【請求項５】
表示装置（２０）は、生理学的信号（２２）および測定時間ウィンドー（２６，２８）を固定的な時間軸（２４）と共に表示するために設けられていることを特徴とする請求項１ないし４の１つに記載の装置。
【請求項６】
表示装置（２０）は、生理学的信号（２２）および測定時間ウィンドーを移動可能な時間軸（２４）と共に表示するために設けられていることを特徴とする請求項１ないし４の１つに記載の装置。
【手続補正２】
【補正対象書類名】明細書
【補正対象項目名】０００７
【補正方法】変更
【補正の内容】
【０００７】
【課題を解決するための手段】
この課題は、本発明によれば、生体でトモグラフィー測定を実施するための測定装置と、生体の生理学的信号を検出するための信号検出装置と、生理学的信号の時間的経過をグラフ表示するための表示装置と、生理学的信号内の測定時間ウィンドーの長さおよび相対的位置の設定をユーザーによって実施するための時間設定装置と、トモグラフィー測定が設定された測定時間ウィンドー中にのみ行なわれるように測定装置を制御するための測定制御装置とを備えた、生体の生理学的に制御された測定を実施するための装置において、表示装置は、生理学的信号に対して相対的に測定時間ウィンドーの時間的位置および大きさを認識可能であるように測定時間ウィンドーを生理学的信号と時間的に関連させてグラフ表示するために設けられていることにより解決される。
【手続補正３】
【補正対象書類名】明細書
【補正対象項目名】００１４
【補正方法】変更
【補正の内容】
【００１４】
次にユーザーは、パラメータ値の入力により決定される測定時間ウィンドーを測定制御装置１４によって制御されるディスプレイ２０上でグラフとして見ることができる。この場合ディスプレイ２０上には生理学的信号だけでなく、測定時間ウィンドーも表示され、特に測定時間ウィンドーは生理学的信号に対して相対的に測定時間ウィンドーの時間的位置および大きさが直接認識されるように表示される。有利には、測定時間ウィンドーはバーもしくは線で表示され、これは生理学的信号と同一の時間尺度でこの信号に沿って延びている。ユーザーが測定時間ウィンドーの位置および大きさに満足できない場合は、ユーザーは設定されている測定時間ウィンドーが所望通りになるまでパラメータ値を修正することができる。
【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
造影ボーラスを被検体内に注入すること（８４）、一連のＲＦパルス（１０２、１０４）からのリフォーカシングＳ-信号を備えるパルスシーケンス（１３０）を患者内の所望のＦＯＶに印加すること、前記所望のＦＯＶのＳ-ＳＳＦＰマスク画像を収集すること（１６２）、前記所望のＦＯＶのＳＳＦＰ画像を収集すること（１６４）、ＳＳＦＰ画像からＳ-ＳＳＦＰマスク画像を差し引くこと（１７２）、を含むＭＲイメージング技法。
【請求項２】
さらに、ＳＳＦＰ画像からＳ-ＳＳＦＰマスク画像を差し引く（１７２）前に、Ｓ-ＳＳＦＰマスク画像にスケールファクタを適用すること（１７０）を含む請求項１に記載の技法。
【請求項３】
Ｓ-ＳＳＦＰマスク画像の前記収集（１６２）が、造影ボーラスの注入（８４）に時間依存していない、請求項１に記載の技法。
【請求項４】
さらに、前記所望のＦＯＶの第２のＳ-ＳＳＦＰマスク画像を収集すること（１６６）、位置合わせ不良アーチファクトが最小となるように前記第１及び第２のＳ-ＳＳＦＰマスク画像のうちの１つを選択すること（１６８）、ＳＳＦＰ画像から前記選択したＳ-ＳＳＦＰマスク画像を差し引くこと（１７２）、を含む請求項１に記載の技法。
【請求項５】
さらに、αを荷重係数、ＳＳＦＰをＳＳＦＰ画像（１６４）、Ｓ-ＳＳＦＰをＳ-ＳＳＦＰマスク画像（１６２）として、ＭＩＰ＝ＳＳＦＰ−α（Ｓ-ＳＳＦＰ）
に従った最大強度投影（ＭＩＰ）画像を作成すること（１７４）を含む請求項１に記載の技法。
【請求項６】
ＭＲＡ画像を収集するためのＭＲＩ装置であって、偏向用磁場を印加するようにマグネット（５４）のボアの周りに配置させた複数の傾斜コイル（５６）、ＲＦ送受信装置システム（５８）、並びにＲＦ信号をＲＦコイル・アセンブリ（５６）に送信しＭＲ画像を収集させるようにパルスモジュール（３８）により制御を受けるＲＦスイッチ（６２）、を有する磁気共鳴イメージング（ＭＲＩ）システム（１０）と、コンピュータであって、ＳＳＦＰ画像（１６４）とＳ-ＳＳＦＰ画像（１６２）を相次いでいずれかの順序により収集すること、ＳＳＦＰ画像からＳ-ＳＳＦＰ画像（１６２）を差し引くこと（１７２）、前記サブトラクション画像から高いコントラストをもつ画像を再構成すること（１７４）、を行うようにプログラムしたコンピュータと、を備えるＭＲＩ装置。
【請求項７】
前記コンピュータはＳ-ＳＳＦＰとＳＳＦＰ（１６２、１６４）の画像を、これらの収集の間の時間差が最小となるようにして収集するようにプログラムされている、請求項６に記載のＭＲＩ装置。
【請求項８】
前記コンピュータはさらに、Ｓ-ＳＳＦＰ画像を収集する（１６４）ためにリフォーカシングＳ-信号を備えるパルスシーケンス（１３０）を印加するようにプログラムされている、請求項６に記載のＭＲＩ装置。
【請求項９】
前記コンピュータはさらに、サブトラクションの前にＳ-ＳＳＦＰ画像にスケールファクタを適用する（１７０）ようにプログラムされている、請求項６に記載のＭＲＩ装置。
【請求項１０】
コンピュータを有するＭＲＩスキャナ（１０）で使用するためのコンピュータ・プログラムであって、該コンピュータに対して、ＳＳＦＰパルスシーケンス（１３０）を印加してＳＳＦＰデータ組を収集すること（１６４）、Ｓ-ＳＳＦＰパルスシーケンスを印加してＳ-ＳＳＦＰデータ組を収集すること（１６２）、ＳＳＦＰデータ組とＳ-ＳＳＦＰデータ組でサブトラクションを取ること（１７２）、高いバックグラウンド抑制、並びに血管とその他の軟部組織との間で十分なコントラストを有する画像を再構成すること（１７４、１７６）、を行わせるようにプログラムしているコンピュータ・プログラム。
【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
夫々が主磁石部分（２４）と傾斜磁場部分（２６，２８，３０）とを含む第１および第２の磁場発生セットと、
前記第１および第２の磁場発生セットの間に設けられたＲＦ磁場発生要素と、
第１および第２の磁場発生セットの各々にそれぞれ組み込まれた第１および第２のＲＦシールド（１００）とを具備し、各々のＲＦシールドは、前記セットの面部分を覆い、それぞれの主磁石部分の横部分の周辺に延伸することを特徴としたオープンＭＲＩシステム。
【請求項２】
各ＲＦシールド（１００）は、それぞれのセットの前記面部分を覆う略平坦な部分（１０２）と、それぞれのセットの主磁石部分（２４）の横部分周辺に延伸する略円筒状の部分（１０４）とを含む請求項１に記載のシステム。
【請求項３】
各ＲＦシールド（１００）の平坦部分および円筒状部分は、伝導性フィンガ（１０６）により接合される請求項２に記載のシステム。
【請求項４】
患者容積周辺の対向する位置に配置された第１および第２の磁場発生セットを含むオープンＭＲＩシステム用ＲＦシールド（１００）であって、各々の磁場発生セットは、主磁石（２４）と、傾斜磁場発生要素（２６，２８，３０）と、ＲＦ磁場発生要素（３２）とを有し、
１つの磁場発生セットの傾斜磁場発生要素を覆うように設けられた第１の部分（１０２）と、
それぞれの磁場発生セットの主磁石の少なくとも一部の周辺にスカートを形成する第２の部分（１０４）とを具備することを特徴とするＲＦシールド。
【請求項５】
前記第１および第２の部分（１０２，１０４）は、伝導性シートから形成される請求項４に記載のシールド。
【請求項６】
前記伝導性シートは銅からなる請求項５に記載のシールド。
【請求項７】
オープンＭＲＩシステムにおけるＲＦ磁場のシールド方法であって、
傾斜磁場発生要素セット（２６、２８、３０）に第１のＲＦシールド部分（１０２）を設けるステップと、
主磁石構造体（２４）の横領域に第２のＲＦシールド部分（１０４）を設けるステップと、
第１および第２のシールド部分（１０２，１０４）を互いに伝導接合するステップとを含む方法。
【請求項８】
前記第１のＲＦシールド部分（１０２）は、略平坦な要素である請求項７に記載の方法。
【請求項９】
ＭＲＩデータ生成方法であって、
主磁場の存在下で患者容積の両側に設けられた第１および第２の磁場セット（２６，２８，３０）で制御された傾斜磁場を発生させるステップと、
患者容積内に制御されたＲＦ磁場を発生させるステップと、
第１および第２の磁場セット（２６，２８，３０）内において、傾斜磁場要素と主磁石構造体（２４）とからＲＦ磁場をシールドするステップと、
磁場から生じる磁気共鳴信号を検出するステップとを含むことを特徴とする方法。
【請求項１０】
前記ＲＦ磁場は、各磁場セットに設けられた複数のシールド部分（１０２，１０４）によりシールドされる請求項９に記載の方法。
【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
秘密保持システムへのアクセスをリクエストするユーザにそのアクセスの許可を保証する方法であって、前記ユーザは、ユーザが秘密保持システムへのアクセス資格を有するときには、実質的にユーザ独自のユーザ識別情報を有し、かつ実質的にユーザ独自の起動番号を有した無線通信装置を所持しており、該方法は、
ユーザ識別情報を該秘密保持システムに入力する段階からなり、該入力する段階が該ユーザにより行われ、該方法はさらに、
該ユーザ識別情報によって識別されたユーザが所持していなくてはならない無線通信装置の起動番号を識別する段階からなり、該識別する段階が該秘密保持システムによって行われ、該方法はさらに、
該ユーザ識別情報によって識別されたユーザが所持していなくてはならない無線通信装置の再認証情報を伝送する段階からなり、該伝送する段階が少なくとも該秘密保持システムによって行なわれ、該方法はさらに、
該再認証情報を該秘密保持システムに返送する段階からなり、該返送する段階が、該ユーザが所持していなくてはならない無線通信装置を該ユーザが所持しているときには、該ユーザによって行われ、そして、
該返送する段階において返送された再認証情報が該伝送段階において伝送された再認証情報と整合するかどうかを検出し、そして、整合するときには、該ユーザに該秘密保持システムへのアクセスを許容する段階とからなり、前記検出する段階が該秘密保持システムによって行われることを特徴とする方法。
【請求項２】
請求項１に記載の方法において、該無線通信装置は該起動番号としてページャ番号を有するページャであり、そして、該識別する段階は、
該ユーザ識別情報によって識別されたユーザが所持していなくてはならないページャのページャ番号を識別する段階からなることを特徴とする請求項１に記載の方法。
【請求項３】
請求項２に記載の方法において、該伝送段階は、
該ページャ番号を有するページャに呼を行う段階と、
該再認証情報を該ページャに伝送する段階とからなることを特徴とする方法。
【請求項４】
請求項１に記載の方法において、該無線通信装置は該起動番号として電話番号を有する携帯電話であり、該識別する段階は、
該ユーザ識別情報によって識別されたユーザが所持していなくてはならない携帯電話の電話番号を識別する段階からなることを特徴とする方法。
【請求項５】
請求項４に記載の方法において、該伝送する段階は、
該電話番号を有する携帯電話に呼を行う段階と、
該再認証情報を該携帯電話に伝送する段階とからなることを特徴とする方法。
【請求項６】
請求項１に記載の方法において、該伝送する段階は、
ほぼ該伝送する段階が実行される度ごとに実質的に異なる再認証情報を発する段階からなることを特徴とする方法。
【請求項７】
請求項６に記載の方法において、該再認証情報は実質的に不規則な番号であることを特徴とする方法。
【請求項８】
請求項６に記載の方法において、該再認証情報は従来の電話番号の一般的な形式を有することを特徴とする方法。
【請求項９】
請求項１に記載の方法において、該入力する段階が、該再認証情報を該無線通信装置に伝送するのに使用する第二通信チャネルとは異なる、該ユーザと該秘密保持システムと間の第一通信チャネルを介して行われ、そして、該返送する段階は、該第一通信チャネルと該第二通信チャネルのうちの１つを使用して行われることを特徴とする方法。
【請求項１０】
請求項９に記載の方法において、該返送する段階が該第一通信チャネルを使用して実行されることを特徴とする方法。
【請求項１１】
請求項９に記載の方法において、該返送する段階が該第二通信チャネルを使用して実行されることを特徴とする方法。
【請求項１２】
請求項１に記載の方法であって、さらに、
該返送された再認証情報が該伝送された再認証情報と整合しないときには、該秘密保持システムへの該ユーザ接続を切断する段階からなることを特徴とする方法。
【手続補正書】
【提出日】平成16年5月21日(2004.5.21)
【手続補正１】
【補正対象書類名】明細書
【補正対象項目名】請求項６
【補正方法】変更
【補正の内容】
【請求項６】
薄められた、ヒドロキシプロピル化されたタピオカでんぷんをオイル含有食品のコーティング又はプレコーティングに使用する方法。
【手続補正２】
【補正対象書類名】明細書
【補正対象項目名】請求項８
【補正方法】変更
【補正の内容】
【請求項８】
３〜５層をプレコーティング又はコーティングとして塗布する、請求項６記載の方法。
【手続補正３】
【補正対象書類名】明細書
【補正対象項目名】００２１
【補正方法】変更
【補正の内容】
【００２１】
コーティングを公知方法でソルビトールを用いて行い、コーティングが有効に付着するのが分る。
〔例２〕
例１をくり返すが、異なるプレコーティング材料を使用する。比較をクリスタルゴム（ｔｍ）、アラビアゴム及び酸で薄められた、ヒドロキシプロピル化されたタピオカでんぷんの間で行う。ゴムの硬度を保存１日後、１週間後及び３週間後に７０％相対湿度及び２５℃で測定する。テストを５〜１０層でコーティングされた中心部で行う。ゴムの硬度は次のようにして測定する。  チューインガム中心部を室温に冷却する。断面積１ｍｍ2 を有するシリンダー状プランジャーをチューインガムのかたまり中に約１ｍｍさし込み、コーティング及び中心部にさし込むのに必要な力を測定する。
【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
（ａ）少なくとも図１に示される推定アミノ酸配列（配列番号：２）を有する成熟ポリペプチドをコードするポリヌクレオチド；
（ｂ）図１に示される配列（配列番号：１）を含むポリヌクレオチド；
（ｃ）（ａ）または（ｂ）のポリヌクレオチドによりコードされるポリペプチドのフラグメントまたは変種をコードするポリヌクレオチド；および
（ｄ）（ａ）ないし（ｃ）のいずれか一つに記載のポリヌクレオチドと少なくとも８５％同一であるポリヌクレオチド
からなる群より選択されるポリヌクレオチドまたはかかるポリヌクレオチドの相補鎖。
【請求項２】
ＤＮＡまたはＲＮＡである、請求項１記載のポリヌクレオチド。
【請求項３】
請求項１または２に記載のポリヌクレオチドを含む、ベクター。
【請求項４】
ポリヌクレオチドが発現調節配列に作動可能に連結されており、原核生物または真核生物宿主細胞での発現を可能とするところの、請求項３記載のベクター。
【請求項５】
請求項３または４に記載のベクターで遺伝子操作されている、宿主細胞。
【請求項６】
請求項１または請求項２に記載のポリヌクレオチドが発現調節細胞に作動可能に連結されており、宿主細胞での発現を可能とする、遺伝子操作された宿主細胞。
【請求項７】
ポリペプチドの発現を可能とする条件下で請求項５または６に記載の宿主細胞を培養し、そのポリペプチドを培養基から回収することを含む、ポリペプチドの産生方法。
【請求項８】
請求項１または２に記載のポリヌクレオチドによりコードされるアミノ酸配列を有するポリペプチドまたは請求項７に記載の方法により得ることのできるポリペプチド。
【請求項９】
請求項８に記載のポリペプチドに対して特異的な抗体またはそのフラグメント。
【請求項１０】
請求項８に記載のポリペプチドを含む、医薬組成物。
【請求項１１】
請求項８に記載のポリペプチドを含む、診断用組成物。
【請求項１２】
組織再造形障害の治療用の医薬組成物を調製するための請求項８に記載のポリペプチドの使用。
【請求項１３】
試料中の変異ＨＣｇｐ−３９Ｌ蛋白質の発現に関連する組織再造形障害の診断方法であって、
（ａ）正常なＨＣｇｐ−３９Ｌ蛋白質をコードしている核酸と相補的なＰＣＲプライマーを合成し；
（ｂ）得られた核酸を、上記の合成したＰＣＲプライマーを用いて増幅させて、増幅生成物を得；および
（ｃ）増幅生成物を、正常なＨＣｇｐ３９−Ｌ蛋白質をコードしている正常な遺伝子型と比較して、増幅生成物における変異を検出すること
を含む、診断方法。
【請求項１４】
試料中のＨＣｇｐ−３９Ｌ蛋白質の改変発現の検出方法であって、
（ａ）ＨＣｇｐ−３９Ｌ蛋白質に対して特異的な一次抗体を調製し；
（ｂ）一次抗体に対するレポーター抗体を調製し（ここで、レポーター抗体は付着した検出可能な試薬に結合している）；
（ｃ）該試料をその試料中の蛋白質と結合する固体支持体上でインキュベートし；
（ｄ）固体支持体上の結合蛋白質と一緒に上記一次抗体をインキュベートして、該一次抗体を固体支持体に結合したＨＣｇｐ−３９Ｌ蛋白質に付着させ；
（ｅ）検出可能な試薬に結合したレポーター抗体を、固体支持体上の付着した一次抗体と接触させ；
（ｆ）検出可能な試薬を検出し；および
（ｇ）試料中のＨＣｇｐ３９−Ｌ蛋白質の量を測定すること
を含む、検出方法。
【請求項１５】
ＨＣｇｐ−３９Ｌ蛋白質が配列番号：２のポリペプチド配列を含むところの、請求項１３または１４記載の方法。
【請求項１６】
モノクローナル抗体である、請求項９記載の抗体またはそのフラグメント。
【請求項１７】
ポリクローナル抗体である、請求項９記載の抗体またはそのフラグメント。
【請求項１８】
（ａ）キメラ抗体；
（ｂ）ヒト化抗体；
（ｃ）一本鎖抗体；および
（ｄ）Ｆａｂフラグメント
からなる群より選択される、請求項９記載の抗体またはそのフラグメント。
【請求項１９】
ウェスタンブロットにて当該蛋白質に特異的に結合する、請求項９記載の抗体またはそのフラグメント。
【請求項２０】
ＥＬＩＳＡにて当該蛋白質に特異的に結合する、請求項９記載の抗体またはそのフラグメント。
【請求項２１】
請求項９に記載の抗体またはそのフラグメントを産生する、単離された細胞。
【請求項２２】
請求項９に記載の抗体またはそのフラグメントを産生する、ハイブリドーマ。
【請求項２３】
請求項８に記載の蛋白質で免疫性にした動物から得られた単離された抗体またはそのフラグメントであって、当該蛋白質に特異的に結合する抗体またはそのフラグメント。
【請求項２４】
細胞培養基より精製されたＨＣｇｐ−３９Ｌ蛋白質と特異的に結合する単離された抗体またはそのフラグメントであって、その細胞培養基中の細胞が請求項４に記載のベクターを含む、抗体またはそのフラグメント。
【手続補正書】
【提出日】平成16年7月16日(2004.7.16)
【手続補正１】
【補正対象書類名】明細書
【補正対象項目名】０００８
【補正方法】変更
【補正の内容】
【０００８】
最も古いＰＳＡの場合、多数の成分のガス仕込原料が、成分の少なくとも１つを吸着するために（吸着されるフラクション）、他の成分（非吸着性フラクション）が取得されないで床を通過する間に、効果的な高圧力で吸着剤の床の少なくとも１つに導入される。予め決められた時間で、この吸着器に向かう仕込原料流は中断され、床は、向流での１つまたは複数の減圧工程を行って、予め決められた圧力レベルに達するまで減圧される（本明細書において、流れ方向は常に吸着の流れ方向に合致する）。これにより、最も吸着性でない化合物または吸着帯域内に残留する化合物（細隙ないし隙間intersticeの容積）が、最も吸着性の成分と混合されないで排出されることが可能になる。これら減圧工程の間に回収されたガスは、一般に後の圧力均等化工程または掃気工程を行うために使用される。先行技術および本明細書において、用語“egalisation de pression （圧力均等化）”は、２つの吸着器内で同圧力レベルに達するまで行われる、高圧吸着器と低圧吸着器との連結を記述するために使用される。次いで、床は、仕込原料から最も多量に吸着された化合物を脱着するために、また減圧工程次いで吸着工程の前に該ガスを床から排出するために、向流で減圧される。そのような方法は、例えば米国特許US-A-3430418またはR.T.Yangのより一般的な著書“Gas Separation by Adsorption Processes”, Boston, Butterworth(1987年) に記載されている。該著書には、いくつかの床の利用に基づくサイクルが詳細に記載されている。一般に、ＰＳＡ型方法は、既述文献に記載されているように、順を追って全吸着床を交互に利用することにより行われる。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
少なくとも１つの３次元オブジェクトと、該少なくとも１つの３次元オブジェクトを覆うように設けられるカバーオブジェクトとを、オブジェクト空間内に配置設定する手段と、
所与の複数のゲームクリア条件の中の１のゲームクリア条件を満たす毎に、前記カバーオブジェクトを構成する少なくとも１つのポリゴン又は曲面の表示、非表示を順次切り替える画像情報変更手段と、
オブジェクト空間内の所与の視点位置から見える視界画像を合成する手段とを含むことを特徴とする３次元ゲーム装置。
【請求項２】
少なくとも１つの３次元オブジェクトと、該少なくとも１つの３次元オブジェクトを覆うように設けられるカバーオブジェクトとを、オブジェクト空間内に配置設定する手段と、
所与の複数のゲームクリア条件の中の１のゲームクリア条件を満たす毎に、前記カバーオブジェクトの少なくとも一部ずつについて不透明、透明を順次切り替える又は半透明率を順次変更する画像情報変更手段と、
オブジェクト空間内の所与の視点位置から見える視界画像を合成する手段とを含むことを特徴とする３次元ゲーム装置。
【請求項３】
少なくとも１つの３次元オブジェクトをオブジェクト空間内に配置設定する手段と、
所与の複数のゲームクリア条件の中の１のゲームクリア条件を満たす毎に、前記３次元オブジェクトの少なくとも一部ずつについてマッピングされるテクスチャを順次変更する画像情報変更手段と、
オブジェクト空間内の所与の視点位置から見える視界画像を合成する手段とを含むことを特徴とする３次元ゲーム装置。
【請求項４】
請求項１乃至３のいずれかにおいて、
前記ゲームクリア条件が、複数のゲームステージの中の少なくとも１つのゲームステージをクリアすること、複数のミニゲームの中の少なくとも１つのミニゲームをクリアすること及び複数の領域の中の少なくとも１つの領域を特定することの少なくとも１つであることを特徴とする３次元ゲーム装置。
【請求項５】
視界画像を合成するための情報を少なくとも格納する、コンピュータ読み取り可能な情報記憶媒体であって、
少なくとも１つの３次元オブジェクトと、該少なくとも１つの３次元オブジェクトを覆うように設けられるカバーオブジェクトとを、オブジェクト空間内に配置設定する手段と、
所与の複数のゲームクリア条件の中の１のゲームクリア条件を満たす毎に、前記カバーオブジェクトを構成する少なくとも１つのポリゴン又は曲面の表示、非表示を順次切り替える画像情報変更手段と、
オブジェクト空間内の所与の視点位置から見える視界画像を合成する手段として、
コンピュータを機能させるプログラムを記憶したことを特徴とする情報記憶媒体。
【請求項６】
視界画像を合成するための情報を少なくとも格納する、コンピュータ読み取り可能な情報記憶媒体であって、
少なくとも１つの３次元オブジェクトと、該少なくとも１つの３次元オブジェクトを覆うように設けられるカバーオブジェクトとを、オブジェクト空間内に配置設定する手段と、
所与の複数のゲームクリア条件の中の１のゲームクリア条件を満たす毎に、前記カバーオブジェクトの少なくとも一部ずつについて不透明、透明を順次切り替える又は半透明率を順次変更する画像情報変更手段と、
オブジェクト空間内の所与の視点位置から見える視界画像を合成する手段として、
コンピュータを機能させるプログラムを記憶したことを特徴とする情報記憶媒体。
【請求項７】
視界画像を合成するための情報を少なくとも格納する、コンピュータ読み取り可能な情報記憶媒体であって、
少なくとも１つの３次元オブジェクトをオブジェクト空間内に配置設定する手段と、
所与の複数のゲームクリア条件の中の１のゲームクリア条件を満たす毎に、前記３次元オブジェクトの少なくとも一部ずつについてマッピングされるテクスチャを順次変更する画像情報変更手段と、
オブジェクト空間内の所与の視点位置から見える視界画像を合成する手段として、
コンピュータを機能させるプログラムを記憶したことを特徴とする情報記憶媒体。
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
オブジェクト空間に配置される少なくとも１つの３次元オブジェクトを覆うように設けられるカバーオブジェクト上で、操作手段からの操作情報に基づいて移動体を移動させる演算を行う移動体演算手段と、
前記移動体の移動により前記カバーオブジェクトを区分する領域が特定された場合の該特定領域におけるカバーオブジェクトの画像情報を少なくとも変更する画像情報変更手段と、
前記カバーオブジェクトの周囲において前記移動体の移動に追従し且つ前記特定領域における画像の変化の少なくとも一部が見える視点位置、視線方向での視界画像を合成する手段とを含むことを特徴とする３次元ゲーム装置。
【請求項２】
オブジェクト空間に配置される少なくとも１つの３次元オブジェクトを覆うように設けられるカバーオブジェクト上で、操作手段からの操作情報に基づいて移動体を移動させる演算を行う移動体演算手段と、
前記移動体の移動軌跡が交差することで該移動軌跡を縁とする閉じた領域が特定された場合の該特定領域におけるカバーオブジェクトの画像情報を少なくとも変更する画像情報変更手段と、
オブジェクト空間内の所与の視点位置、視線方向での視界画像を合成する手段とを含むことを特徴とする３次元ゲーム装置。
【請求項３】
請求項１又は２のいずれかにおいて、
前記画像情報変更手段が、
前記カバーオブジェクトが複数のポリゴン又は曲面により構成されている場合に、前記特定領域にある少なくとも１つのポリゴン又は曲面の表示、非表示を切り替えることを特徴とする３次元ゲーム装置。
【請求項４】
請求項１乃至３のいずれかにおいて、
前記画像情報変更手段が、
前記特定領域におけるカバーオブジェクトの少なくとも一部について不透明、透明を切り替える又は半透明率を変更することを特徴とする３次元ゲーム装置。
【請求項５】
オブジェクト空間に配置される少なくとも１つの３次元オブジェクト上で、操作手段からの操作情報に基づいて移動体を移動させる演算を行う移動体演算手段と、
前記移動体の移動により前記３次元オブジェクトを区分する領域が特定された場合の該特定領域における３次元オブジェクトの画像情報を少なくとも変更する画像情報変更手段と、
前記３次元オブジェクトの周囲において前記移動体の移動に追従し且つ前記特定領域における画像の変化の少なくとも一部が見える視点位置、視線方向での視界画像を合成する手段とを含むことを特徴とする３次元ゲーム装置。
【請求項６】
オブジェクト空間に配置される少なくとも１つの３次元オブジェクト上で、操作手段からの操作情報に基づいて移動体を移動させる演算を行う移動体演算手段と、
前記移動体の移動軌跡が交差することで該移動軌跡を縁とする閉じた領域が特定された場合の該特定領域における３次元オブジェクトの画像情報を少なくとも変更する画像情報変更手段と、
オブジェクト空間内の所与の視点位置、視線方向での視界画像を合成する手段とを含むことを特徴とする３次元ゲーム装置。
【請求項７】
請求項５又は６のいずれかにおいて、
前記画像情報変更手段が、
前記特定領域の少なくとも一部にマッピングされるテクスチャを変更することを特徴とする３次元ゲーム装置。
【請求項８】
請求項１乃至７のいずれかにおいて、
前記移動体演算手段が、
前記カバーオブジェクト又は前記３次元オブジェクトがポリゴンにより形成されている場合に、前記移動体を該ポリゴンの縁上で移動させる演算を該ポリゴンの頂点位置情報に基づいて行うことを特徴とする３次元ゲーム装置。
【請求項９】
視界画像を合成するための情報を少なくとも格納する、コンピュータ読み取り可能な情報記憶媒体であって、
オブジェクト空間に配置される少なくとも１つの３次元オブジェクトを覆うように設けられるカバーオブジェクト上で、操作手段からの操作情報に基づいて移動体を移動させる演算を行う移動体演算手段と、
前記移動体の移動により前記カバーオブジェクトを区分する領域が特定された場合の該特定領域におけるカバーオブジェクトの画像情報を少なくとも変更する画像情報変更手段と、
前記カバーオブジェクトの周囲において前記移動体の移動に追従し且つ前記特定領域における画像の変化の少なくとも一部が見える視点位置、視線方向での視界画像を合成する手段として、
コンピュータを機能させるプログラムを記憶したことを特徴とする情報記憶媒体。
【請求項１０】
視界画像を合成するための情報を少なくとも格納する、コンピュータ読み取り可能な情報記憶媒体であって、
オブジェクト空間に配置される少なくとも１つの３次元オブジェクトを覆うように設けられるカバーオブジェクト上で、操作手段からの操作情報に基づいて移動体を移動させる演算を行う移動体演算手段と、
前記移動体の移動軌跡が交差することで該移動軌跡を縁とする閉じた領域が特定された場合の該特定領域におけるカバーオブジェクトの画像情報を少なくとも変更する画像情報変更手段と、
オブジェクト空間内の所与の視点位置、視線方向での視界画像を合成する手段として、
コンピュータを機能させるプログラムを記憶したことを特徴とする情報記憶媒体。
【請求項１１】
視界画像を合成するための情報を少なくとも格納する、コンピュータ読み取り可能な情報記憶媒体であって、
オブジェクト空間に配置される少なくとも１つの３次元オブジェクト上で、操作手段からの操作情報に基づいて移動体を移動させる演算を行う移動体演算手段と、
前記移動体の移動により前記３次元オブジェクトを区分する領域が特定された場合の該特定領域における３次元オブジェクトの画像情報を少なくとも変更する画像情報変更手段と、
前記３次元オブジェクトの周囲において前記移動体の移動に追従し且つ前記特定領域における画像の変化の少なくとも一部が見える視点位置、視線方向での視界画像を合成する手段として、
コンピュータを機能させるプログラムを記憶したことを特徴とする情報記憶媒体。
【請求項１２】
視界画像を合成するための情報を少なくとも格納する、コンピュータ読み取り可能な情報記憶媒体であって、
オブジェクト空間に配置される少なくとも１つの３次元オブジェクト上で、操作手段からの操作情報に基づいて移動体を移動させる演算を行う移動体演算手段と、
前記移動体の移動軌跡が交差することで該移動軌跡を縁とする閉じた領域が特定された場合の該特定領域における３次元オブジェクトの画像情報を少なくとも変更する画像情報変更手段と、
オブジェクト空間内の所与の視点位置、視線方向での視界画像を合成する手段として、
コンピュータを機能させるプログラムを記憶したことを特徴とする情報記憶媒体。